【手続補正書】
【提出日】平成17年3月28日(2005.3.28)
【手続補正１】
【補正対象書類名】明細書
【補正対象項目名】特許請求の範囲
【補正方法】変更
【補正の内容】
【特許請求の範囲】
【請求項１】
静電荷像を担持するための静電荷像担持体を帯電し、帯電された静電荷像担持体に静電荷像を形成し、現像手段が有するトナーによって静電荷像を現像してトナー像を形成し、静電荷像担持体上のトナー像を中間転写体を介して又は介さずに転写材へ転写し、転写材上のトナー像を定着手段によって定着する画像形成方法であり、
該静電荷像担持体の表面層が、
（ｉ）７．５×１０3乃至３．７×１０4の重量平均分子量を有する下記式（１）
【化１】
2000019753.tif 000001
〔式中、Ｘ1は−ＣＲ13Ｒ14−（ただしＲ13およびＲ14は各々独立に水素原子、トリフルオロメチル基、置換もしくは無置換のアルキル基、または置換もしくは無置換のアリール基である）、置換もしくは無置換のシクロアルキリデン基、置換もしくは無置換のα，ω−アルキレン基、単結合、−Ｏ−、−Ｓ−、−ＳＯ−、または−ＳＯ2−であり、Ｒ1〜Ｒ12は各々独立に水素原子、ハロゲン原子、置換もしくは無置換のアルキル基、または置換もしくは無置換のアリール基である。〕
で示される構成単位を有するポリアリレート樹脂及び７．５×１０3乃至３．７×１０4の重量平均分子量を有する下記式（２）
【化２】
2000019753.tif 000002
〔式中、Ｘ2は−ＣＲ23Ｒ24−（ただしＲ23およびＲ24は各々独立に水素原子、トリフルオロメチル基、置換もしくは無置換のアルキル基、または置換もしくは無置換のアリール基である）、置換もしくは無置換のシクロアルキリデン基、置換もしくは無置換のα，ω−アルキレン基、単結合、−Ｏ−、−Ｓ−、−ＳＯ−、または−ＳＯ2−であり、Ｒ15〜Ｒ22は各々独立に水素原子、ハロゲン原子、置換もしくは無置換のアルキル基、または置換もしくは無置換のアリール基である。〕
で示される構成単位を有するポリカーボネート樹脂の少なくとも一方と、
（ｉｉ）フッ素含有樹脂粒子と、を含有し、
該トナーは、トナー粒子と、個数平均粒径が０．１０μｍ以下の第１の無機微粉体及び個数平均粒径が０．１２乃至３．０μｍの第２の無機微粉体とを有することを特徴とする画像形成方法。
【請求項２】
第１の無機微粉体は、ケイ酸微粉体であり、該トナー中に０．５乃至２．５重量％含まれ、第２の無機微粉体は、酸化チタン，チタン酸ストロンチウム又は酸化セリウムであり、該トナー中に０．３５乃至３．５重量％含まれていることを特徴とする請求項１に記載の画像形成方法。
【請求項３】
第１の無機微粉体が３乃至２０重量％のシリコーンオイルを含有していることを特徴とする請求項１又は２に記載の画像形成方法。
【請求項４】
該トナーは、重量平均粒径が３．５乃至６．５μｍであり、粒径２．００乃至３．１７μｍの粒子の含有量が５乃至４０個数％であることを特徴とする請求項１乃至３のいずれかに記載の画像形成方法。
【請求項５】
該静電荷像担持体の表層が、ヒンダードフェノール系酸化防止剤またはリン系酸化防止剤のうち少なくとも一種を含有することを特徴とする請求項１乃至４のいずれかに記載の画像形成方法。
【請求項６】
該静電荷像担持体に接触配置された帯電部材から直流電圧に交流電圧を重畳した電圧を印加することにより、該静電荷像担持体を帯電することを特徴とする請求項１乃至５のいずれかに記載の画像形成方法。
【請求項７】
画像形成装置本体の着脱可能に装着されるプロセスカートリッジにおいて、
該プロセスカートリッジは、静電荷像を担持するための静電荷像担持体、及び該静電荷像担持体に担持されている静電荷像を現像してトナー像を形成するためのトナーを保有する現像手段を有しており、
該静電荷像担持体の表面層が、
（ｉ）７．５×１０3乃至３．７×１０4の重量平均分子量を有する下記式（１）
【化３】
2000019753.tif 000003
〔式中、Ｘ1は−ＣＲ13Ｒ14−（ただしＲ13およびＲ14は各々独立に水素原子、トリフルオロメチル基、置換もしくは無置換のアルキル基、または置換もしくは無置換のアリール基である）、置換もしくは無置換のシクロアルキリデン基、置換もしくは無置換のα，ω−アルキレン基、単結合、−Ｏ−、−Ｓ−、−ＳＯ−、または−ＳＯ2−であり、Ｒ1〜Ｒ12は各々独立に水素原子、ハロゲン原子、置換もしくは無置換のアルキル基、または置換もしくは無置換のアリール基である。〕
で示される構成単位を有するポリアリレート樹脂及び７．５×１０3乃至３．７×１０4の重量平均分子量を有する下記式（２）
【化４】
2000019753.tif 000004
〔式中、Ｘ2は−ＣＲ23Ｒ24−（ただしＲ23およびＲ24は各々独立に水素原子、トリフルオロメチル基、置換もしくは無置換のアルキル基、または置換もしくは無置換のアリール基である）、置換もしくは無置換のシクロアルキリデン基、置換もしくは無置換のα，ω−アルキレン基、単結合、−Ｏ−、−Ｓ−、−ＳＯ−、または−ＳＯ2−であり、Ｒ15〜Ｒ22は各々独立に水素原子、ハロゲン原子、置換もしくは無置換のアルキル基、または置換もしくは無置換のアリール基である。〕
で示される構成単位を有するポリカーボネート樹脂の少なくとも一方と、
（ｉｉ）フッ素含有樹脂粒子と、を含有し、
該トナーは、トナー粒子と、個数平均粒径が０．１０μｍ以下の第１の無機微粉体及び個数平均粒径が０．１２乃至３．０μｍの第２の無機微粉体とを有することを特徴とするプロセスカートリッジ。
【請求項８】
第１の無機微粉体は、ケイ酸微粉体であり、該トナー中に０．５乃至２．５重量％含まれ、第２の無機微粉体は、酸化チタン，チタン酸ストロンチウム又は酸化セリウムであり、該トナー中に０．３５乃至３．５重量％含まれていることを特徴とする請求項７に記載のプロセスカートリッジ。
【請求項９】
第１の無機微粉体が３乃至２０重量％のシリコーンオイルを含有していることを特徴とする請求項７又は８に記載のプロセスカートリッジ。
【請求項１０】
該トナーは、重量平均粒径が３．５乃至６．５μｍであり、粒径２．００乃至３．１７μｍ以下の粒子の含有量が５乃至４０個数％であることを特徴とする請求項７乃至９のいずれかに記載のプロセスカートリッジ。
【請求項１１】
該静電荷像担持体の表層が、ヒンダードフェノール系酸化防止剤またはリン系酸化防止剤のうち少なくとも一種を含有することを特徴とする請求項７乃至１０のいずれかに記載のプロセスカートリッジ。
【請求項１２】
該プロセスカートリッジは、該静電荷像担持体に接触配置され、直流電圧と交流電圧を重畳した電圧を印加するための帯電部材をさらに有していることを特徴とする請求項７乃至１１のいずれかに記載のプロセスカートリッジ。
【請求項１３】
（ｉ）７．５×１０3乃至３．７×１０4の重量平均分子量を有する下記式（１）
【化５】
2000019753.tif 000005
〔式中、Ｘ1は−ＣＲ13Ｒ14−（ただしＲ13およびＲ14は各々独立に水素原子、トリフルオロメチル基、置換もしくは無置換のアルキル基、または置換もしくは無置換のアリール基である）、置換もしくは無置換のシクロアルキリデン基、置換もしくは無置換のα，ω−アルキレン基、単結合、−Ｏ−、−Ｓ−、−ＳＯ−、または−ＳＯ2−であり、Ｒ1〜Ｒ12は各々独立に水素原子、ハロゲン原子、置換もしくは無置換のアルキル基、または置換もしくは無置換のアリール基である。〕
で示される構成単位を有するポリアリレート樹脂及び７．５×１０3乃至３．７×１０4の重量平均分子量を有する下記式（２）
【化６】
2000019753.tif 000006
〔式中、Ｘ2は−ＣＲ23Ｒ24−（ただしＲ23およびＲ24は各々独立に水素原子、トリフルオロメチル基、置換もしくは無置換のアルキル基、または置換もしくは無置換のアリール基である）、置換もしくは無置換のシクロアルキリデン基、置換もしくは無置換のα，ω−アルキレン基、単結合、−Ｏ−、−Ｓ−、−ＳＯ−、または−ＳＯ2−であり、Ｒ15〜Ｒ22は各々独立に水素原子、ハロゲン原子、置換もしくは無置換のアルキル基、または置換もしくは無置換のアリール基である。〕
で示される構成単位を有するポリカーボネート樹脂の少なくとも一方と、
（ｉｉ）フッ素含有樹脂粒子と、を含有する表面層を有する静電荷像担持体を帯電し、帯電された静電荷像担持体に静電荷像を形成し、現像手段が有するトナーによって静電荷像を現像してトナー像を形成し、静電荷像担持体上のトナー像を中間転写体を介して又は介さずに転写材へ転写し、転写材上のトナー像を定着手段によって定着する画像形成方法に用いられる画像形成用トナーにおいて、
該トナーは、トナー粒子と、個数平均粒径が０．１０μｍ以下の第１の無機微粉体及び個数平均粒径が０．１２乃至３．０μｍの第２の無機微粉体とを有することを特徴とする画像形成用トナー。
【請求項１４】
第１の無機微粉体は、ケイ酸微粉体であり、該トナー中に０．５乃至２．５重量％含まれ、第２の無機微粉体は、酸化チタン，チタン酸ストロンチウム又は酸化セリウムであり、該トナー中に０．３５乃至３．５重量％含まれていることを特徴とする請求項１３に記載の画像形成用トナー。
【請求項１５】
第１の無機微粉体が３乃至２０重量％のシリコーンオイルを含有していることを特徴とする請求項１３又は１４に記載の画像形成用トナー。
【請求項１６】
該トナーは、重量平均粒径が３．５乃至６．５μｍであり、粒径２．００乃至３．１７μｍの粒子の含有量が５乃至４０個数％であることを特徴とする請求項１３乃至１５のいずれかに記載の画像形成用トナー。
【請求項１７】
該トナーが用いられる画像形成方法に用いられる該静電荷像担持体の表層が、ヒンダードフェノール系酸化防止剤またはリン系酸化防止剤のうち少なくとも一種を含有することを特徴とする請求項１３乃至１６のいずれかに記載の画像形成用トナー。
【請求項１８】
該トナーが用いられる画像形成方法において、該静電荷像担持体に接触配置された帯電部材から直流電圧に交流電圧を重畳した電圧を印加することにより、該静電荷像担持体を帯電することを特徴とする請求項１３乃至１７のいずれかに記載の画像形成用トナー。
【手続補正２】
【補正対象書類名】明細書
【補正対象項目名】００１０
【補正方法】変更
【補正の内容】
【００１０】
【課題を解決するための手段及び作用】
本発明は、静電荷像を担持するための静電荷像担持体を帯電し、帯電された静電荷像担持体に静電荷像を形成し、現像手段が有するトナーによって静電荷像を現像してトナー像を形成し、静電荷像担持体上のトナー像を中間転写体を介して又は介さずに転写材へ転写し、転写材上のトナー像を定着手段によって定着する画像形成方法であり、
該静電荷像担持体の表面層が、
（ｉ）７．５×１０3乃至３．７×１０4の重量平均分子量を有する下記式（１）
【手続補正３】
【補正対象書類名】明細書
【補正対象項目名】００１１
【補正方法】変更
【補正の内容】
【００１１】
【化７】
2000019753.tif 000007
〔式中、Ｘ1は−ＣＲ13Ｒ14−（ただしＲ13およびＲ14は各々独立に水素原子、トリフルオロメチル基、置換もしくは無置換のアルキル基、または置換もしくは無置換のアリール基である）、置換もしくは無置換のシクロアルキリデン基、置換もしくは無置換のα，ω−アルキレン基、単結合、−Ｏ−、−Ｓ−、−ＳＯ−、または−ＳＯ2−であり、Ｒ1〜Ｒ12は各々独立に水素原子、ハロゲン原子、置換もしくは無置換のアルキル基、または置換もしくは無置換のアリール基である。〕
で示される構成単位を有するポリアリレート樹脂及び７．５×１０3乃至３．７×１０4の重量平均分子量を有する下記式（２）
【手続補正４】
【補正対象書類名】明細書
【補正対象項目名】００１２
【補正方法】変更
【補正の内容】
【００１２】
【化８】
2000019753.tif 000008
〔式中、Ｘ2は−ＣＲ23Ｒ24−（ただしＲ23およびＲ24は各々独立に水素原子、トリフルオロメチル基、置換もしくは無置換のアルキル基、または置換もしくは無置換のアリール基である）、置換もしくは無置換のシクロアルキリデン基、置換もしくは無置換のα，ω−アルキレン基、単結合、−Ｏ−、−Ｓ−、−ＳＯ−、または−ＳＯ2−であり、Ｒ15〜Ｒ22は各々独立に水素原子、ハロゲン原子、置換もしくは無置換のアルキル基、または置換もしくは無置換のアリール基である。〕
で示される構成単位を有するポリカーボネート樹脂の少なくとも一方と、
（ｉｉ）フッ素含有樹脂粒子と、を含有し、
該トナーは、トナー粒子と、個数平均粒径が０．１０μｍ以下の第１の無機微粉体及び個数平均粒径が０．１２乃至３．０μｍの第２の無機微粉体とを有することを特徴とする画像形成方法に関する。
【手続補正５】
【補正対象書類名】明細書
【補正対象項目名】００１３
【補正方法】変更
【補正の内容】
【００１３】
また、本発明は、画像形成装置本体の着脱可能に装着されるプロセスカートリッジにおいて、
該プロセスカートリッジは、静電荷像を担持するための静電荷像担持体、及び該静電荷像担持体に担持されている静電荷像を現像してトナー像を形成するためのトナーを保有する現像手段を有しており、
該静電荷像担持体の表面層が、
（ｉ）７．５×１０3乃至３．７×１０4の重量平均分子量を有する下記式（１）
【手続補正６】
【補正対象書類名】明細書
【補正対象項目名】００１４
【補正方法】変更
【補正の内容】
【００１４】
【化９】
2000019753.tif 000009
〔式中、Ｘ1は−ＣＲ13Ｒ14−（ただしＲ13およびＲ14は各々独立に水素原子、トリフルオロメチル基、置換もしくは無置換のアルキル基、または置換もしくは無置換のアリール基である）、置換もしくは無置換のシクロアルキリデン基、置換もしくは無置換のα，ω−アルキレン基、単結合、−Ｏ−、−Ｓ−、−ＳＯ−、または−ＳＯ2−であり、Ｒ1〜Ｒ12は各々独立に水素原子、ハロゲン原子、置換もしくは無置換のアルキル基、または置換もしくは無置換のアリール基である。〕
で示される構成単位を有するポリアリレート樹脂及び７．５×１０3乃至３．７×１０4の重量平均分子量を有する下記式（２）
【手続補正７】
【補正対象書類名】明細書
【補正対象項目名】００１５
【補正方法】変更
【補正の内容】
【００１５】
【化１０】
2000019753.tif 000010
〔式中、Ｘ2は−ＣＲ23Ｒ24−（ただしＲ23およびＲ24は各々独立に水素原子、トリフルオロメチル基、置換もしくは無置換のアルキル基、または置換もしくは無置換のアリール基である）、置換もしくは無置換のシクロアルキリデン基、置換もしくは無置換のα，ω−アルキレン基、単結合、−Ｏ−、−Ｓ−、−ＳＯ−、または−ＳＯ2−であり、Ｒ15〜Ｒ22は各々独立に水素原子、ハロゲン原子、置換もしくは無置換のアルキル基、または置換もしくは無置換のアリール基である。〕
で示される構成単位を有するポリカーボネート樹脂の少なくとも一方と、
（ｉｉ）フッ素含有樹脂粒子と、を含有し、
該トナーは、トナー粒子と、個数平均粒径が０．１０μｍ以下の第１の無機微粉体及び個数平均粒径が０．１２乃至３．０μｍの第２の無機微粉体とを有することを特徴とするプロセスカートリッジに関する。
【手続補正８】
【補正対象書類名】明細書
【補正対象項目名】００１６
【補正方法】変更
【補正の内容】
【００１６】
さらに本発明は、（ｉ）７．５×１０3乃至３．７×１０4の重量平均分子量を有する下記式（１）
【手続補正９】
【補正対象書類名】明細書
【補正対象項目名】００１７
【補正方法】変更
【補正の内容】
【００１７】
【化１１】
2000019753.tif 000011
〔式中、Ｘ1は−ＣＲ13Ｒ14−（ただしＲ13およびＲ14は各々独立に水素原子、トリフルオロメチル基、置換もしくは無置換のアルキル基、または置換もしくは無置換のアリール基である）、置換もしくは無置換のシクロアルキリデン基、置換もしくは無置換のα，ω−アルキレン基、単結合、−Ｏ−、−Ｓ−、−ＳＯ−、または−ＳＯ2−であり、Ｒ1〜Ｒ12は各々独立に水素原子、ハロゲン原子、置換もしくは無置換のアルキル基、または置換もしくは無置換のアリール基である。〕
で示される構成単位を有するポリアリレート樹脂及び７．５×１０3乃至３．７×１０4の重量平均分子量を有する下記式（２）
【手続補正１０】
【補正対象書類名】明細書
【補正対象項目名】００１８
【補正方法】変更
【補正の内容】
【００１８】
【化１２】
2000019753.tif 000012
〔式中、Ｘ2は−ＣＲ23Ｒ24−（ただしＲ23およびＲ24は各々独立に水素原子、トリフルオロメチル基、置換もしくは無置換のアルキル基、または置換もしくは無置換のアリール基である）、置換もしくは無置換のシクロアルキリデン基、置換もしくは無置換のα，ω−アルキレン基、単結合、−Ｏ−、−Ｓ−、−ＳＯ−、または−ＳＯ2−であり、Ｒ15〜Ｒ22は各々独立に水素原子、ハロゲン原子、置換もしくは無置換のアルキル基、または置換もしくは無置換のアリール基である。〕
で示される構成単位を有するポリカーボネート樹脂の少なくとも一方と、
（ｉｉ）フッ素含有樹脂粒子と、を含有する表面層を有する静電荷像担持体を帯電し、帯電された静電荷像担持体に静電荷像を形成し、現像手段が有するトナーによって静電荷像を現像してトナー像を形成し、静電荷像担持体上のトナー像を中間転写体を介して又は介さずに転写材へ転写し、転写材上のトナー像を定着手段によって定着する画像形成方法に用いられる画像形成用トナーにおいて、
該トナーは、トナー粒子と、個数平均粒径が０．１０μｍ以下の第１の無機微粉体及び個数平均粒径が０．１２乃至３．０μｍの第２の無機微粉体とを有することを特徴とする画像形成用トナーに関する。